【手続補正書】
【提出日】平成16年7月7日(2004.7.7)
【手続補正１】
【補正対象書類名】明細書
【補正対象項目名】特許請求の範囲
【補正方法】変更
【補正の内容】
【特許請求の範囲】
【請求項１】
筐体２に、BIuetooth モジュール４と、BIuetooth モジュール４へ接続したマイクロフォン６ならびにスピーカ５とを備えて、BIuetooth 搭載携帯電話器１８と通信できるように構成されて成る自動車用BIuetooth 音声通信装置において、
上記筐体２は該筐体２後尾に前記シガーライターソケットに挿し込んで使用するためのシガーライタープラグ部３が形成されており、且つ自動車に備えられているシガーライターソケット電圧をBIuetooth モジュール４の電源電圧に変換して供給するDC/DC レギュレータ１４を備え、且つ、BIuetooth モジュール４はマイクロコンピュータ８、受信部９、送信部１０、及び該受信部９と送信部１０のアンテナ接続を切換えるセレクタ１１を備え、且つ、前記マイクロフォン６が出力する音声信号はA/D コンバータ１２によりデジタル変換されてマイクロコンピュータ８へ入力され、該マイクロコンピュータ８が出力するデジタル音声信号はD/A コンバータ１３によりアナログ変換されて、前記スピーカ５へ出力されるように構成されたことを特徴とする自動車用BIuetooth 音声通信装置。
【請求項２】
上記筐体２の前面に一つまたは複数のシガーライターソケット７を設けて、自動車の電源を他の電子機器へ分配供給できるようにした請求項１記載の自動車用BIuetooth 音声通信装置。
【請求項３】
音声を認識してコマンドデータへ変換する音声認識機能と、テキストデータを音声へ変換する音声合成機能とを備えた請求項１または２記載の自動車用BIuetooth 音声通信装置。
【請求項４】
上記携帯電話器１８に呼び出し信号が着信すると、上記自動車用BIuetooth 音声通信装置へ着信音が伝送され、上記スピーカ５を通じて着信音が流れ、更に、該自動車用BIuetooth 音声通信装置に設けられているボタン１６を押すと、前記携帯電話器１８へ接続制御信号が送信されて通話状態となり、受話音がスピーカ５から流れ、送話音がマイクロフォン６により収音されて携帯電話器１８へ伝送され、該携帯電話器１８から相手方へ送信されるように構成されたことを特徴とする請求項１、２又は３記載の自動車用BIuetooth 音声通信装置。
【請求項５】
上記自動車用BIuetooth 音声通信装置は、BIuetooth を搭載したカーオーディオシステム１９と車内に持ち込んだ上記携帯電話器１８とによってワイヤレスネットワークが形成され、前記カーオーディオシステム１９側の設定により、前記携帯電話器１８の受話音声がカーオーディオシステム１９のスピーカから発生され、ヘッドユニットで受話音量や音質の調整を行うことができるように構成したことを特徴とする請求項１記載の自動車用BIuetooth 音声通信装置。
【請求項６】
上記カーオーディオシステム１９から音声データを受信して上記自動車用BIuetooth 音声通信装置のスピーカ５から音楽が再生されるように構成したことを特徴とする請求項５記載の自動車用BIuetooth 音声通信装置。
【請求項７】
上記自動車用BIuetooth 音声通信装置１は、該BIuetooth 音声通信装置１に搭載された音声認識エンジンにより話者の声をコマンドデータに変換して伝送する機能を有し、携帯電話器１８、カーオーディオシステム１９、カーナヴィゲーションシステム２０や自動車の電子制御部２１にコマンドデータを無線伝送することができるように構成されたことを特徴とする請求項１又は２記載の自動車用BIuetooth 音声通信装置。
【請求項８】
上記自動車用BIuetooth 音声通信装置１は音声合成機能を有し、該音声合成機能により上記携帯電話器１８、カーオーディオシステム１９、カーナヴィゲーションシステム２０等から出力されたテキストデータを音声に変換してスピーカ５から出力させたり、或いはカーナヴィゲーションシステム２０のディスプレイにテキスト表示させたりすることができるように構成されたことを特徴とする請求項１、２又は３記載の自動車用BIuetooth 音声通信装置。
【手続補正２】
【補正対象書類名】明細書
【補正対象項目名】０００４
【補正方法】変更
【補正の内容】
【０００４】
この発明は、上記目的を達成するために提案するものであり、筐体２に、BIuetooth モジュール４と、BIuetooth モジュール４へ接続したマイクロフォン６ならびにスピーカ５とを備えて、BIuetooth 搭載携帯電話器１８と通信できるように構成されて成る自動車用BIuetooth 音声通信装置において、
上記筐体２は該筐体２後尾に前記シガーライターソケットに挿し込んで使用するためのシガーライタープラグ部３が形成されており、且つ自動車に備えられているシガーライターソケット電圧をBIuetooth モジュール４の電源電圧に変換して供給するDC/DC レギュレータ１４を備え、且つ、BIuetooth モジュール４はマイクロコンピュータ８、受信部９、送信部１０、及び該受信部９と送信部１０のアンテナ接続を切換えるセレクタ１１を備え、且つ、前記マイクロフォン６が出力する音声信号はA/D コンバータ１２によりデジタル変換されてマイクロコンピュータ８へ入力され、該マイクロコンピュータ８が出力するデジタル音声信号はD/A コンバータ１３によりアナログ変換されて、前記スピーカ５へ出力されるように構成されたことを特徴とする自動車用BIuetooth 音声通信装置を提供するものである。
【手続補正３】
【補正対象書類名】明細書
【補正対象項目名】０００５
【補正方法】変更
【補正の内容】
【０００５】
また、上記筐体２の前面に一つまたは複数のシガーライターソケット７を設けて、自動車の電源を他の電子機器へ分配供給できるようにした請求項１記載の自動車用BIuetooth 音声通信装置を提供するものである。
【手続補正４】
【補正対象書類名】明細書
【補正対象項目名】０００６
【補正方法】変更
【補正の内容】
【０００６】
また、音声を認識してコマンドデータへ変換する音声認識機能と、テキストデータを音声へ変換する音声合成機能とを備えた請求項１または２記載の自動車用BIuetooth 音声通信装置、及び上記携帯電話器１８に呼び出し信号が着信すると、上記自動車用BIuetooth 音声通信装置へ着信音が伝送され、上記スピーカ５を通じて着信音が流れ、更に、該自動車用BIuetooth 音声通信装置に設けられているボタン１６を押すと、前記携帯電話器１８へ接続制御信号が送信されて通話状態となり、受話音がスピーカ５から流れ、送話音がマイクロフォン６により収音されて携帯電話器１８へ伝送され、該携帯電話器１８から相手方へ送信されるように構成されたことを特徴とする請求項１、２又は３記載の自動車用BIuetooth 音声通信装置、並びに上記自動車用BIuetooth 音声通信装置は、BIuetooth を搭載したカーオーディオシステム１９と車内に持ち込んだ上記携帯電話器１８とによってワイヤレスネットワークが形成され、前記カーオーディオシステム１９側の設定により、前記携帯電話器１８の受話音声がカーオーディオシステム１９のスピーカから発生され、ヘッドユニットで受話音量や音質の調整を行うことができるように構成したことを特徴とする請求項１記載の自動車用BIuetooth 音声通信装置、及び上記カーオーディオシステム１９から音声データを受信して上記自動車用BIuetooth 音声通信装置のスピーカ５から音楽が再生されるように構成したことを特徴とする請求項５記載の自動車用BIuetooth 音声通信装置、並びに上記自動車用BIuetooth 音声通信装置１は、該BIuetooth 音声通信装置１に搭載された音声認識エンジンにより話者の声をコマンドデータに変換して伝送する機能を有し、携帯電話器１８、カーオーディオシステム１９、カーナヴィゲーションシステム２０や自動車の電子制御部２１にコマンドデータを無線伝送することができるように構成されたことを特徴とする請求項１又は２記載の自動車用BIuetooth 音声通信装置、及び上記自動車用BIuetooth 音声通信装置１は音声合成機能を有し、該音声合成機能により上記携帯電話器１８、カーオーディオシステム１９、カーナヴィゲーションシステム２０等から出力されたテキストデータを音声に変換してスピーカ５から出力させたり、或いはカーナヴィゲーションシステム２０のディスプレイにテキスト表示させたりすることができるように構成されたことを特徴とする請求項１、２又は３記載の自動車用BIuetooth 音声通信装置を提供するものである。
【手続補正５】
【補正対象書類名】明細書
【補正対象項目名】００１５
【補正方法】変更
【補正の内容】
【００１５】
【発明の効果】
以上説明したように、本発明の自動車用BIuetooth 音声通信装置は、シガーライターソケットにコードを用いることなく、筐体の後尾に形成されたシガーライタープラグを自動車のシガーライターソケットに直接に接続して携帯電話器などと無線通信するので、従来のハンズフリーキットとは異なり、ハンズフリーキットと携帯電話器をコードで接続する必要がなく、取り扱いが簡便化するとともに、携帯電話器のみならず他の車載機器の操作も行うことが可能であり、操作性が著しく向上する。